(57)【特許請求の範囲】
【請求項１】
閉弁方向に付勢された飲料の供給弁を操作レバーによって前記付勢に抗して開弁可能としたバルブ機構と、該バルブ機構から供給される飲料の流路を有し、飲料出口を下面側に設ける共に、該飲料出口回りに円弧状のバヨネット孔を上下貫設した台座部を設けた飲料流路体と、前記バヨネット孔に下方から挿通し、回動操作により前記台座部の上面側に係脱可能に係合するバヨネット爪を上部に有して、前記台座部の下面側に着脱可能に取り付けるスパウトノズルとを備えた飲料サーバにおいて、
前記飲料流路体の前記台座部の上面側に着脱可能に装着するカバー体を備え、
該カバー体は、その内部に前記台座部への装着時に前記バヨネット爪と当接して前記スパウトノズルの取り外し方向の回転を規制するストッパを設けてなることを特徴とする飲料サーバ用スパウトノズルの脱落防止構造。
【請求項２】
カバー体は、天板に飲料流路体の台座部に着脱可能に嵌合する周壁を設けてなり、前記天板の内面にストッパを垂設した請求項１記載の飲料サーバー用スパウトノズルの脱落防止構造。
【請求項３】
カバー体は、天板に飲料流路体の台座部に着脱可能に嵌合する周壁を設けてなり、前記周壁の内面にストッパを水平方向に設けた請求項１記載の飲料サーバー用スパウトノズルの脱落防止構造。
【請求項４】
飲料流路体は台座部の一端にバルブ機構の接続部をＬ字状に設けてなり、該接続部の左右両端にガイド溝を上下方向に設けると共に、カバー体の内面に前記ガイド溝にスライド可能に係合する凸条を設けた請求項１、２または３記載の飲料サーバー用スパウトノズルの脱落防止構造。
【発明の詳細な説明】
【技術分野】
【０００１】
この発明は、例えば焼酎やウイスキーなどの飲料原液を水や炭酸水と混合希釈してスパウトノズルから注出する飲料サーバにおいて、前記スパウトノズルの脱落防止構造に関するものである。
【背景技術】
【０００２】
非特許文献１に示した飲料サーバ用のバルブ装置として、図８に示す構成のものが公知である。このバルブ装置では、操作レバー２１を操作したときにテコの原理で原液レバー２２と炭酸水レバー２３を同時に操作し、これによって双方のバルブ２４・２５を開閉する。２６は操作レバー２１を復帰させるための戻しバネである。ここで、操作レバー２１を操作すれば、原液レバー２２、炭酸水レバー２３を介してバルブ２４・２５を押し開き、それぞれ原液と炭酸水が上流側ブロック２７からオリフィス２８・２９を通過して混合部１０に導入される。バルブ本体１０では、原液は原液供給筒１１の先端側円筒の一部に設けられた供給孔１２から水平方向に噴出される一方、炭酸水は本体内流路１３の内部に供給され、炭酸水ホイール１４の周囲からスパウトノズル（混合キャップ）１５に流下する。スパウトノズル１５では、流下した炭酸水に供給孔１２から噴出した原液が混合されて、その下面に設けた吐出口１６から飲料容器などに供給される。
【０００３】
スパウトノズルの取付構造として、特許文献１に示されるように、バヨネット式が公知である。これを図９に従って説明すれば、スパウトノズル１５は、上縁二箇所の対向する位置に外向きの爪部１５ａを一対有し、これをバルブ本体１０に設けた円弧状の取付溝１０ａに下から挿入して上面側に突出させ、この状態でスパウトノズル１５を一方向に回転することによって、爪部１５ａがバルブ本体１０の上面に掛止し、スパウトノズル１５を抜け止めの状態でバルブ本体１０に取付けることができる。これと反対方向にスパウトノズル１５を回転すれば、爪部１５ａとバルブ本体１０との掛止が解除され、下に引き抜くことによってスパウトノズル１５をバルブ本体１０から取り外すことができる。
【０００４】
このようにスパウトノズルをバヨネット式の取付構造とすることによって、スパウトノズルを洗浄する際、これを脱着しやすいという利点がある。
【先行技術文献】
【特許文献】
【０００５】
【特許文献１】実開昭６３−１５４４９９号公報
【非特許文献】
【０００６】
【非特許文献１】”マニュアルミキシングバルブ”、［online］、早川産機株式会社、［平成２７年１１月２０日検索］、インターネット〈URL：http://www.hayakawa-sanki.co.jp/products/?id=1338290677-758575〉
【発明の概要】
【発明が解決しようとする課題】
【０００７】
ところで、流体管路中のバルブを急激に閉弁すればウォーターハンマー（水撃）が生じることは知られており、これは特許文献１や非特許文献１に開示されたバルブ装置も同様である。特に、飲料サーバの場合、飲食店に設置され、決まった量の飲料をできるだけ早く客に提供しようとする観点から、飲料の注出時に操作レバー２１にコップ等を押し当てて開状態（手前から奥側に押し込んだ状態）にあるバルブ２４・２５を、所望量の飲料が注出できた瞬間に操作レバー２１からコップ等を引き離すような注出作業が行われ、操作レバー２１が原位置（閉弁位置）に復帰する際、バルブ２４・２５が戻しバネ２６によって急激に閉状態となるためウォーターハンマーを起こしやすい。
【０００８】
そして、特許文献１や非特許文献１に開示されたバルブ装置では、注出作業を繰り返す間に、上述したウォーターハンマーの衝撃や振動によってスパウトノズル１５が徐々に取り外し方向に回転してしまい、やがてスパウトノズル１５がバルブ本体１０から抜け落ちてしまうという課題があった。
【０００９】
本発明は上述した課題を解決するためになされたもので、その目的とするところは、バルブ開閉に伴うウォーターハンマーの振動等によりスパウトノズルが不用意に抜け落ちない飲料サーバ用スパウトノズルの脱落防止構造を開示することである。
【課題を解決するための手段】
【００１０】
上述した目的を達成するために本発明では、閉弁方向に付勢された飲料の供給弁を操作レバーによって前記付勢に抗して開弁可能としたバルブ機構と、該バルブ機構から供給される飲料の流路を有し、飲料出口を下面側に設ける共に、該飲料出口回りに円弧状のバヨネット孔を上下貫設した台座部を有する飲料流路体と、前記バヨネット孔に下方から挿通し回動操作により前記台座部の上面側に係脱可能に係合するバヨネット爪を上部に有して、前記台座部の下面側に着脱可能に取り付けるスパウトノズルとを備えた飲料サーバにおいて、前記飲料流路体の前記台座部の上面側に着脱可能に装着するカバー体を備え、該カバー体は、その内部に前記台座部への装着時に前記バヨネット爪と当接して前記スパウトノズルの取り外し方向の回転を規制するストッパを設けてなるという手段を用いた。
【００１１】
上記手段によれば、飲料流路体の台座部にスパウトノズルを取付けた後、カバー体を装着することで、該カバー体の内部に設けたストッパがスパウトノズルのバヨネット爪と当接することによってスパウトノズルの取り外し方向の回転を規制することができる。
【００１２】
本発明においてカバー体の構成は任意であるが、天板に飲料流路体の台座部に着脱可能に嵌合する周壁を有するものである場合、前記天板の内面にストッパを垂設すれば、カバー体を台座部に対して上方から垂直方向に装着することで、ストッパの下端部がバヨネット爪と当接してスパウトノズルの取り外し方向の回転を規制することができる。
【００１３】
一方、前記周壁の内面にストッパを水平方向に設けることも可能で、この場合、カバー体を台座部に対して垂直方向に取付けるだけでなく、天板から垂設するよりもストッパの長さを短くすることができる。
【００１４】
なお、より確実にスパウトノズルの取り外し方向の回転を規制するには、ストッパがバヨネット爪に当接するようにカバー体を位置決めする必要がある。そのため、飲料流路体は台座部の一端にバルブ機構の接続部をＬ字状に設けてなり、該接続部の左右両端にガイド溝を上下方向に設けると共に、カバー体の内面に前記ガイド溝にスライド可能に係合する凸条を設けるという手段を用いることで、カバー体の装着時にストッパがバヨネット爪に当接するように位置決めすることができる。
【発明の効果】
【００１５】
本発明によれば、カバー体のストッパによってスパウトノズルのバヨネット爪を取付位置に保持するようにしたので、飲料注出時のバルブの開閉に伴うウォータハンマーの衝撃や振動によってバヨネット結合が解除されてスパウトノズルが不用意に脱落することを防止することができる。
【図面の簡単な説明】
【００１６】
【図１】本発明の第一実施形態に係る飲料サーバの飲料注出要部の分解斜視図
【図２】同、カバー体を装着する前の上面図
【図３】同、カバー体を装着した状態の一部切欠上面図
【図４】本発明の第二実施形態におけるカバー体の斜視図
【図５】同、カバー体を装着した状態の一部切欠上面図
【図６】本発明の第三実施形態におけるカバー体の斜視図
【図７】同、カバー体を装着した状態の一部切欠上面図
【図８】非特許文献１に係るバルブ装置の分解斜視図
【図９】特許文献１に係るバヨネット式スパウトノズルの取付構造を示した底面図
【発明を実施するための形態】
【００１７】
以下、本発明の好ましい実施の形態を添付した図面に従って説明する。図１は、本発明の第一実施形態に係る飲料サーバの飲料注出要部の分解斜視図であり、炭酸水と飲料原液を混合して炭酸飲料を注出する炭酸飲料サーバに適用するものを例示している。図中、１は飲料流路体、２は飲料流路体１の下面側に着脱可能に取り付けるスパウトノズル、３は飲料流路体の上面側に着脱可能に装着するカバー体である。
【００１８】
飲料流路体１は、図８に示した非特許文献１に係るバルブ装置のバルブ本体１０に相当するもので、二次側には図８と同等のバルブ機構、即ち、操作レバー（炭酸水バルブ・原液バルブ）は戻しバネに常時閉弁方向に付勢され、操作レバーを操作したときにテコの原理で原液レバーと炭酸水レバーを同時に操作し、これによって双方のバルブを押し開くようにした機構と接続する接続部４が設けられ、該接続部４の下部には水平に台座部５を設けたＬ字状をなしている。
【００１９】
接続部４は、上述したバルブ機構から供給される炭酸水と飲料原液の導入口４ａ・４ｂが形成され、この導入口４ａ・４ｂは台座部５の上面側に設けた流路５ａに連通している。流路５ａは内部で炭酸水流路と飲料原液流路に分かれているが、何れも台座部５の下面側に出口を設けている。なお、台座部５の下面側において、５ｂは炭酸水の出口、５ｃは飲料原液の出口であり、これら出口５ｂ・５ｃは同心上に設けられ、ここから流下する炭酸水と飲料原液はスパウトノズル２内で混合され、スパウトノズル２の吐出口２ａから混合された炭酸飲料を注出することは、図８に示したバルブ装置と変わるところはない。
【００２０】
また、図２にも示すように、台座部５には、出口５ｂ・５ｃの回りに所定長の円弧状のバヨネット孔６・６を一対、対向位置に上下貫通した状態で設けており、この部分に、スパウトノズル２の上縁部に設けた一対のバヨネット爪７・７を下方から挿入して台座部５の上面側に突出させ、スパウトノズル２を回動することで、バヨネット爪７・７を台座部５の上面に係脱可能に係合して、スパウトノズル２を台座部５の下面側に着脱可能に取り付けることも、図８に示したバルブ装置や特許文献１のものと同じである。なお、バヨネット孔６やバヨネット爪７の数は２つに限らず、３つ以上であってもよい。
【００２１】
このようにスパウトノズル２を飲料流路体１の台座部５にバヨネット構造によって取付ける構造において、本発明の特徴点を説明すると、カバー体３は、図１に示すように、天板３ａの前方と左右に飲料流路体１の台座部５の上面を覆う周壁３ｂ〜３ｄを形成してなる。これら周壁３ｂ〜３ｄは飲料流路体１の台座部５に嵌合する。なお、カバー体３の後方は飲料流路体１の接続部４に接続されるバルブ機構と干渉しないように、ほぼ開口している。
【００２２】
上記構成のカバー体３の内部について、天板３ａの内面からは二本のストッパ８・８を垂設している。これらストッパ８・８は、図３に示すように、カバー体３を飲料流路体１の台座部５に装着したとき、その下端部がスパウトノズル２のバヨネット爪７・７それぞれに当接して、スパウトノズル２が抜け出し方向に回転することを規制する。
【００２３】
また、この実施形態では、ストッパ８・８を、台座部５に係合状態にあるバヨネット爪７・７に確実に当接させるための位置決め手段として、カバー体３の左右周壁３ｃ・３ｄそれぞれに凸条９・９を上下方向に設け、飲料流路体１の接続部４には前記凸条９・９がスライド自在なガイド溝９ａ・９ａを設けている。したがって、カバー体３の装着時に、凸条９・９をガイド溝９ａ・９ａに嵌め込み、そのまま上下するだけで、ストッパ８・８を確実にバヨネット爪７・７の抜け出し回転方向を規制する位置に当接させることができる。
【００２４】
図４・５は、本発明の第二実施形態を示したものであり、ストッパ８・８をカバー体３の左右の周壁３ｃ・３ｄの内面から水平に設けたものであり、その他の構造は第一実施形態と変わるところはない。この第二実施形態においても、スパウトノズル２を台座部５の下面側に取付けた後、その台座部５に対してカバー体３を上方から装着するだけで、スパウトノズル２の取り外し方向の回転を規制することができる。
【００２５】
さらに、図６・７は、本発明の第三実施形態を示したものであり、第二実施形態において左右の周壁３ｃ・３ｄに設けたストッパ８・８のうち、一方を前方の周壁３ｂの内面から水平に設けたものである。その他の構造、及びストッパ８・８によるスパウトノズル２の回転規制は第一・第二実施形態と同じである。
【００２６】
このように、上述した第一から第三の実施形態とも、カバー体３を装着するだけでスパウトノズル２の取り外し方向の回転が規制されるため、飲料の注出作業において飲料供給弁が急激に閉弁して、繰り返しウォーターハンマーが生じるような使用態様であっても、スパウトノズル２が脱落することを防止することができる。
【００２７】
なお、上記実施形態では、炭酸水と飲料原液を混合して炭酸飲料を注出する飲料サーバに適用するものを例示したが、この他、ビールサーバや炭酸水サーバ等の飲料サーバにも適用することができる。
【符号の説明】
【００２８】
１  飲料流路体
２  スパウトノズル
２ａ  吐出口
３  カバー体
３ａ  天板
３ｂ  前方の周壁
３ｃ・３ｄ  左右の周壁
４  接続部
４ａ  炭酸水の導入口
４ｂ  飲料原液の導入口
５  台座部
５ａ  流路
５ｂ  炭酸水の出口
５ｃ  飲料原液の出口
６  バヨネット孔
７  バヨネット爪
８  ストッパ
９  凸条
９ａ  ガイド溝
【図１】
0006489699.tif 000002
【図２】
0006489699.tif 000003
【図３】
0006489699.tif 000004
【図４】
0006489699.tif 000005
【図５】
0006489699.tif 000006
【図６】
0006489699.tif 000007
【図７】
0006489699.tif 000008
【図８】
0006489699.tif 000009
【図９】
0006489699.tif 000010